(57)【要約】【課題】表示データに対する索引情報の対応付け作業を容易化できる表示装置、表示方法、表示システム、及び表示プログラムを提供する。【解決手段】表示装置６は、提供装置８（携帯電話２、デジタルカメラ３、ＰＣ４、スキャナ５、及び表示装置７）から表示データを受信し、表示部１６に表示データを表示できる。表示装置６は、提供装置８から表示データを受信する場合の通信方法（USB、Bluetooth、WiFi）、受信される表示データのフォーマット、及び、提供装置８のＩＤを、提供装置８との通信時に取得する。取得された情報は、表示データに対応付けられてフラッシュメモリに記憶される。ユーザは、所望する提供装置８の特定情報を検索キーとして表示装置６に入力する。表示装置６は、入力された検索キーに該当する表示データを検索し、その名称をリスト表示する。【選択図】図１
2011248716.tif 000002
【特許請求の範囲】
【請求項１】
像を表示可能な表示手段と、
前記表示手段に表示させる像のデータである表示データを提供する提供装置と通信を行い、前記表示データを受信する受信手段と、
前記提供装置を特定可能な情報である特定情報であって、前記受信手段によって受信された前記表示データの送信元の前記提供装置を特定可能な特定情報を、前記提供装置との通信により取得する第一取得手段と、
前記受信手段によって受信された前記表示データと、前記第一取得手段によって取得された前記特定情報とを対応付けて記憶手段に記憶する記憶制御手段と、
前記表示手段に表示させる前記表示データを検索するためのキーである検索キーを取得する第二取得手段と、
前記第二取得手段によって取得された前記検索キーに該当する前記特定情報に対応付けられている前記表示データを、前記記憶手段に記憶された前記表示データから抽出する抽出手段と、
前記抽出手段によって抽出された前記表示データのリストを、前記表示手段に表示する表示制御手段と
を備えたことを特徴とする表示装置。
【請求項２】
前記受信手段によって前記提供装置から受信した前記表示データが、前記表示手段に直接表示させることが可能なフォーマットである第一フォーマットであるか、又は、前記表示手段に直接表示させることができないフォーマットである第二フォーマットであるかを判断する判断手段を備え、
前記第一取得手段は、
前記判断手段において判断されたフォーマットを、前記表示データの前記特定情報として取得することを特徴とする請求項１に記載の表示装置。
【請求項３】
前記判断手段において、前記表示データが前記第二フォーマットであると判断された場合に、前記表示データを前記第二フォーマットから前記第一フォーマットに変換する変換手段を備え、
前記記憶制御手段は、
前記変換手段によって前記表示データのフォーマットが変換された場合には、変換後の前記表示データを、変換前の前記第二フォーマットに対応付けて前記記憶手段に記憶することを特徴とする請求項２に記載の表示装置。
【請求項４】
前記受信手段において前記表示データが受信される場合の、前記提供装置との通信方法を特定する第一特定手段を備え、
前記第一取得手段は、
前記第一特定手段によって特定された前記通信方法を、前記特定情報として取得することを特徴とする請求項１から３のいずれかに記載の表示装置。
【請求項５】
前記第一特定手段において特定された通信方法が、ＵＳＢ規格に基づいた通信方法である場合に、前記提供装置によって認識される前記表示装置のクラスドライバを特定する第二特定手段を備え、
前記第一取得手段は、
前記第二特定手段によって特定された前記クラスドライバを、前記特定情報として取得することを特徴とする請求項４に記載の表示装置。
【請求項６】
前記第二特定手段は、
前記提供装置によって認識される前記表示装置のクラスドライバが、ＵＳＢマスストレージクラスドライバであるか、又は、プリンタクラスドライバであるかを特定することを特徴とする請求項５に記載の表示装置。
【請求項７】
前記受信手段は、前記表示データと共に前記特定情報を受信し、
前記第一取得手段は、
前記受信手段によって前記表示データと前記特定情報とが受信された場合には、受信された前記特定情報を、受信された前記表示データを提供した前記提供装置を特定する前記特定情報として取得することを特徴とする請求項１から６のいずれかに記載の表示装置。
【請求項８】
前記特定情報は、
前記提供装置のＩＤ、及び、前記提供装置を使用するユーザのログインＩＤのうち少なくともいずれかであることを特徴とする請求項７に記載の表示装置。
【請求項９】
前記提供装置の種別を取得する第三取得手段と、
前記第三取得手段によって取得された種別に対応する前記提供装置を特定可能な前記特定情報を選択する選択手段と
を備え、
前記抽出手段は、
前記選択手段によって選択された前記特定情報に対応付けられている前記表示データを、前記記憶手段に記憶された前記表示データから抽出することを特徴とする請求項１から８のいずれかに記載の表示装置。
【請求項１０】
像を表示可能な表示手段に表示させる像のデータである表示データを提供する提供装置と通信を行い、前記表示データを受信する受信ステップと、
前記提供装置を特定可能な情報である特定情報であって、前記受信ステップによって受信された前記表示データの送信元の前記提供装置を特定可能な特定情報を、前記提供装置との通信により取得する第一取得ステップと、
前記受信ステップによって受信された前記表示データと、前記第一取得ステップによって取得された前記特定情報とを対応付けて記憶手段に記憶する記憶制御ステップと、
前記表示手段に表示させる前記表示データを検索するためのキーである検索キーを取得する第二取得ステップと、
前記第二取得ステップによって取得された前記検索キーに該当する前記特定情報に対応付けられている前記表示データを、前記記憶手段に記憶された前記表示データから抽出する抽出ステップと、
前記抽出ステップによって抽出された前記表示データのリストを、前記表示手段に表示する表示制御ステップと
を備えたことを特徴とする表示方法。
【請求項１１】
像を表示可能な表示手段を備えた表示装置と、前記表示手段に表示させる像のデータである表示データを前記表示装置に提供する提供装置とを少なくとも備えた表示システムであって、
前記提供装置は、
前記表示装置と通信を行い、前記表示データを送信する送信手段を備え、
前記表示装置は、
前記提供装置と通信を行い、前記表示データを受信する受信手段と、
前記提供装置を特定可能な情報である特定情報であって、前記受信手段によって受信された前記表示データの送信元の前記提供装置を特定可能な特定情報を、前記提供装置との通信により取得する第一取得手段と、
前記受信手段によって受信された前記表示データと、前記第一取得手段によって取得された前記特定情報とを対応付けて記憶手段に記憶する記憶制御手段と、
前記表示手段に表示させる前記表示データを検索するためのキーである検索キーを取得する第二取得手段と、
前記第二取得手段によって取得された前記検索キーに該当する前記特定情報に対応付けられている前記表示データを、前記記憶手段に記憶された前記表示データから抽出する抽出手段と、
前記抽出手段によって抽出された前記表示データのリストを、前記表示手段に表示する表示制御手段と
を備えたことを特徴とする表示システム。
【請求項１２】
像を表示可能な表示手段に表示させる像のデータである表示データを提供する提供装置と通信を行い、前記表示データを受信する受信ステップと、
前記提供装置を特定可能な情報である特定情報であって、前記受信ステップによって受信された前記表示データの送信元の前記提供装置を特定可能な特定情報を、前記提供装置との通信により取得する第一取得ステップと、
前記受信ステップによって受信された前記表示データと、前記第一取得ステップによって取得された前記特定情報とを対応付けて記憶手段に記憶する記憶制御ステップと、
前記表示手段に表示させる前記表示データを検索するためのキーである検索キーを取得する第二取得ステップと、
前記第二取得ステップによって取得された前記検索キーに該当する前記特定情報に対応付けられている前記表示データを、前記記憶手段に記憶された前記表示データから抽出する抽出ステップと、
前記抽出ステップによって抽出された前記表示データのリストを、前記表示手段に表示する表示制御ステップと
をコンピュータに実行させるための表示プログラム。
【発明の詳細な説明】
【技術分野】
【０００１】
本発明は、表示装置、表示方法、表示システム、及び表示プログラムに関する。より詳細には、所望の表示データを検索できる表示装置、表示方法、表示システム、及び表示プログラムに関する。
【背景技術】
【０００２】
入力された検索キーワードに該当する表示データをディスプレイに表示させることができる表示装置が知られている。通常、表示データには索引情報が対応付けられて、表示装置のデータベースに記憶される。入力された検索キーワードと一致する索引情報が、データベースから検索される。検索キーワードと一致する索引情報が対応付けられた表示データが、データベースから読み出され、ディスプレイに表示される。検索キーワードに該当する表示データが複数ある場合、其々の表示データの名称がリスト状に一覧表示される。ユーザは、いずれかの名称を選択することで、所望の表示データをディスプレイに表示させることができる（例えば、特許文献１参照）。
【先行技術文献】
【特許文献】
【０００３】
【特許文献１】特開平７−８５１０２号公報
【発明の概要】
【発明が解決しようとする課題】
【０００４】
しかしながら上述の装置では、索引情報を手動で表示データに対応付け、データベースに登録する必要がある。従って、表示データが追加された場合、索引情報を手動で逐一表示データに対応付けて登録しなければならないという問題点がある。
【０００５】
本発明の目的は、表示データに対する索引情報の対応付け作業を容易化できる表示装置、表示方法、表示システム、及び表示プログラムを提供することにある。
【課題を解決するための手段】
【０００６】
本発明の第一態様に係る表示装置は、像を表示可能な表示手段と、前記表示手段に表示させる像のデータである表示データを提供する提供装置と通信を行い、前記表示データを受信する受信手段と、前記提供装置を特定可能な情報である特定情報であって、前記受信手段によって受信された前記表示データの送信元の前記提供装置を特定可能な特定情報を、前記提供装置との通信により取得する第一取得手段と、前記受信手段によって受信された前記表示データと、前記第一取得手段によって取得された前記特定情報とを対応付けて記憶手段に記憶する記憶制御手段と、前記表示手段に表示させる前記表示データを検索するためのキーである検索キーを取得する第二取得手段と、前記第二取得手段によって取得された前記検索キーに該当する前記特定情報に対応付けられている前記表示データを、前記記憶手段に記憶された前記表示データから抽出する抽出手段と、前記抽出手段によって抽出された前記表示データのリストを、前記表示手段に表示する表示制御手段とを備えている。
【０００７】
本発明の第一態様によれば、ユーザは、表示データを提供した提供装置を特定可能な特定情報を索引情報として用いることで、所望の提供装置を検索し、所望の表示データを特定できる。表示装置では、提供装置との通信によって特定情報が取得される。従って表示データを新たに受信した場合であっても、表示装置は、容易に特定情報を表示データに対応付けることができる。
【０００８】
また、第一態様において、前記受信手段によって前記提供装置から受信した前記表示データが、前記表示手段に直接表示させることが可能なフォーマットである第一フォーマットであるか、又は、前記表示手段に直接表示させることができないフォーマットである第二フォーマットであるかを判断する判断手段を備え、前記第一取得手段は、前記判断手段において判断されたフォーマットを、前記表示データの前記特定情報として取得してもよい。表示装置は、受信した表示データのフォーマットを、特定情報として表示データに対応付けることができる。表示データのフォーマットは、表示データの受信時に自動的に取得されるので、ユーザは手動で特定情報（フォーマット）を表示データに対応付ける必要がない。またユーザは、表示データのフォーマットに基づいて、表示データを提供した提供装置を特定可能となる。このためユーザは、所望の提供装置から送信された所望の表示データを、容易に特定できる。
【０００９】
また、第一態様において、前記判断手段において、前記表示データが前記第二フォーマットであると判断された場合に、前記表示データを前記第二フォーマットから前記第一フォーマットに変換する変換手段を備え、前記記憶制御手段は、前記変換手段によって前記表示データのフォーマットが変換された場合には、変換後の前記表示データを、変換前の前記第二フォーマットに対応付けて前記記憶手段に記憶してもよい。これによって表示装置は、受信した表示データが第二フォーマットである場合に、表示手段に直接表示できる第一フォーマットに変換できる。表示装置は、ユーザからの表示指示に即座に応じ、迅速に表示データを表示手段に表示できる。また記憶手段には、変換前の第二フォーマットが表示データに対応付けられて記憶されるので、ユーザは、所望の提供装置から送信された所望の表示データを容易に検索し、特定できる。
【００１０】
また、第一態様において、前記受信手段において前記表示データが受信される場合の、前記提供装置との通信方法を特定する第一特定手段を備え、前記第一取得手段は、前記第一特定手段によって特定された前記通信方法を、前記特定情報として取得してもよい。表示装置は、表示データの受信時における提供装置との通信方法を、特定情報として表示データに対応付ける。通信方法は、表示データの受信時に自動的に取得されるので、ユーザは手動で特定情報（通信方法）を表示データに対応付ける必要がない。またユーザは、提供装置との通信方法に基づいて、表示データを提供した提供装置を特定可能となる。このためユーザは、所望の提供装置から送信された所望の表示データを、容易に特定できる。
【００１１】
また、第一態様において、前記第一特定手段において判断された通信方法が、ＵＳＢ規格に基づいた通信方法である場合に、前記提供装置によって認識される前記表示装置のクラスドライバを特定する第二特定手段を備え、前記第一取得手段は、前記第二特定手段によって特定された前記クラスドライバを、前記特定情報として取得してもよい。提供装置によって認識される表示装置のクラスドライバが、特定情報として表示データに対応付けられる。従ってユーザは、クラスドライバの種別に基づいて、表示データを提供した提供装置を特定することができる。
【００１２】
また、第一態様において、前記第二特定手段は、前記提供装置によって認識される前記表示装置のクラスドライバが、ＵＳＢマスストレージクラスドライバであるか、又は、プリンタクラスドライバであるかを特定してもよい。これによってユーザは、表示装置のＵＳＢマスストレージクラスドライバが認識されているか、又はプリンタクスラスドライバが認識されているかに基づいて、提供装置を特定することができる。
【００１３】
また、第一態様において、前記受信手段は、前記表示データと共に前記特定情報を受信し、前記第一取得手段は、前記受信手段によって前記表示データと前記特定情報とが受信された場合には、受信された前記特定情報を、受信された前記表示データを提供した前記提供装置を特定する前記特定情報として取得してもよい。これによって表示装置は、表示データを送信した提供装置の特定情報を、提供装置から直接取得できる。表示装置は、表示データを提供した提供装置の正確な特定情報を対応付けることができる。ユーザは、所望の提供装置から送信された表示データを確実に特定できる。
【００１４】
また、第一態様において、前記特定情報は、前記提供装置のＩＤ、及び、前記提供装置を使用するユーザのログインＩＤのうち少なくともいずれかであってもよい。これによってユーザは、提供装置のＩＤやログインＩＤに基づいて、所望の提供装置を特定できる。
【００１５】
また、第一態様において、前記提供装置の種別を取得する第三取得手段と、前記第三取得手段によって取得された種別に対応する前記提供装置を特定可能な前記特定情報を選択する選択手段とを備え、前記抽出手段は、前記選択手段によって選択された前記特定情報に対応付けられている前記表示データを、前記記憶手段に記憶された前記表示データから抽出してもよい。これによってユーザは、所望の提供装置をより直接的に特定することができる。
【００１６】
また、本発明の第二態様に係る表示方法は、像を表示可能な表示手段に表示させる像のデータである表示データを提供する提供装置と通信を行い、前記表示データを受信する受信ステップと、前記提供装置を特定可能な情報である特定情報であって、前記受信ステップによって受信された前記表示データの送信元の前記提供装置を特定可能な特定情報を、前記提供装置との通信により取得する第一取得ステップと、前記受信ステップによって受信された前記表示データと、前記第一取得ステップによって取得された前記特定情報とを対応付けて記憶手段に記憶する記憶制御ステップと、前記表示手段に表示させる前記表示データを検索するためのキーである検索キーを取得する第二取得ステップと、前記第二取得ステップによって取得された前記検索キーに該当する前記特定情報に対応付けられている前記表示データを、前記記憶手段に記憶された前記表示データから抽出する抽出ステップと、前記抽出ステップによって抽出された前記表示データのリストを、前記表示手段に表示する表示制御ステップとを備えている。
【００１７】
本発明の第二態様によれば、ユーザは、表示データを提供した提供装置を特定可能な特定情報を索引情報として用いることで、所望の提供装置を検索し、所望の表示データを特定できる。表示装置では、提供装置との通信によって特定情報が取得される。従って表示データを新たに受信した場合であっても、表示装置は、容易に特定情報を表示データに対応付けることができる。
【００１８】
本発明の第三態様にかかる表示システムでは、像を表示可能な表示手段を備えた表示装置と、前記前記表示手段に表示させる像のデータである表示データを前記表示装置に提供する提供装置とを少なくとも備えた表示システムであって、前記提供装置は、前記表示装置と通信を行い、前記表示データを送信する送信手段を備え、前記表示装置は、前記提供装置と通信を行い、前記表示データを受信する受信手段と、前記提供装置を特定可能な情報である特定情報であって、前記受信手段によって受信された前記表示データの送信元の前記提供装置を特定可能な特定情報を、前記提供装置との通信により取得する第一取得手段と、前記受信手段によって受信された前記表示データと、前記第一取得手段によって取得された前記特定情報とを対応付けて記憶手段に記憶する記憶制御手段と、前記表示手段に表示させる前記表示データを検索するためのキーである検索キーを取得する第二取得手段と、前記第二取得手段によって取得された前記検索キーに該当する前記特定情報に対応付けられている前記表示データを、前記記憶手段に記憶された前記表示データから抽出する抽出手段と、前記抽出手段によって抽出された前記表示データのリストを、前記表示手段に表示する表示制御手段とを備えている。
【００１９】
本発明の第三態様によれば、ユーザは、表示データを提供した提供装置を特定可能な特定情報を索引情報として用いることで、所望の提供装置を検索し、所望の表示データを特定できる。表示装置では、提供装置との通信によって特定情報が取得される。従って表示データを新たに受信した場合であっても、表示装置は、容易に特定情報を表示データに対応付けることができる。
【００２０】
本発明の第四態様に係る表示プログラムは、像を表示可能な表示手段に表示させる像のデータである表示データを提供する提供装置と通信を行い、前記表示データを受信する受信ステップと、前記提供装置を特定可能な情報である特定情報であって、前記受信ステップによって受信された前記表示データの送信元の前記提供装置を特定可能な特定情報を、前記提供装置との通信により取得する第一取得ステップと、前記受信ステップによって受信された前記表示データと、前記第一取得ステップによって取得された前記特定情報とを対応付けて記憶手段に記憶する記憶制御ステップと、前記表示手段に表示させる前記表示データを検索するためのキーである検索キーを取得する第二取得ステップと、前記第二取得ステップによって取得された前記検索キーに該当する前記特定情報に対応付けられている前記表示データを、前記記憶手段に記憶された前記表示データから抽出する抽出ステップと、前記抽出ステップによって抽出された前記表示データのリストを、前記表示手段に表示する表示制御ステップとをコンピュータに実行させることができる。本発明の第四態様によれば、コンピュータが表示プログラムを実行することによって、ユーザは所望の提供装置を検索し、所望の表示データを特定できる。表示データが新たに受信された場合であっても、コンピュータは容易に特定情報を表示データに対応付けることができる。
【図面の簡単な説明】
【００２１】
【図１】表示システム１の概要を示す模式図である。
【図２】表示装置６の表示部１６に表示される画像の一例を示す図である。
【図３】表示装置６の電気的構成を示すブロック図である。
【図４】特定情報が対応付けられた表示データを示す図である。
【図５】ＰＣ４の電気的構成を示すブロック図である。
【図６】提供処理を示すフローチャートである。
【図７】提供装置８と特定情報との対応関係を示す図である。
【図８】受信処理を示すフローチャートである。
【図９】取得処理を示すフローチャートである。
【図１０】表示処理を示すフローチャートである。
【図１１】表示データの記憶方法の一例を示す図である。
【図１２】対応表１４１を示す図である。
【図１３】変形例における表示処理を示すフローチャートである。
【発明を実施するための形態】
【００２２】
以下、本発明の一実施形態について、図面を参照して説明する。これらの図面は、本発明が採用しうる技術的特徴を説明するために用いられるものである。記載されている装置の構成、各種処理のフローチャート等は、それのみに限定する趣旨ではなく、単なる説明例である。
【００２３】
図１を参照し、表示システム１の概要について説明する。表示システム１は、表示装置６及び提供装置８を備えている。表示装置６は、表示部１６に表示データを表示させることができる。表示装置６は、提供装置８と通信を行うことで、提供装置８から表示データを取得し、表示部１６に表示する。表示装置６として、例えば電子ブックリーダが使用できる。提供装置８は、表示装置６と通信を行うことで、表示装置６に表示データを提供できる。提供装置８として、例えば携帯電話２、デジタルカメラ３、ＰＣ４、及びスキャナ５が使用できる。また提供装置８として、表示装置６とは異なる他の表示装置７が使用できる。なお本発明の提供装置８は、例示した各種機器に限定されない。
【００２４】
携帯電話２は、受信したメール本文や添付ファイル、及び、メモリ内に記憶された撮影画像等の各種データを表示データとして表示装置６に提供する。携帯電話２は、Bluetooth（登録商標）規格に基づいた無線通信によって、表示装置６に表示データを提供する。デジタルカメラ３は、撮影画像を表示データとして表示装置６に提供する。デジタルカメラ３は、USB（登録商標）規格に基づいた有線通信、及び、Bluetooth規格に基づいた無線通信によって、表示装置６に表示データを提供する。ＰＣ４は、ハードディスクドライブ（ＨＤＤ）に記憶された各種データを表示データとして表示装置６に提供する。ＰＣ４は、USB規格に基づいた有線通信、又は、WiFi（登録商標）規格に基づいた無線通信によって、表示装置６に表示データを提供する。スキャナ５は、スキャンされた画像を表示データとして表示装置６に提供する。スキャナ５は、USB規格に基づいた有線通信によって、表示装置６に表示データを提供する。表示装置７は、USB規格に基づいた有線通信、及び、Bluetooth規格に基づいた無線通信によって、表示装置６に表示データを提供する。
【００２５】
表示装置６は、提供装置８から取得した表示データの名称（ファイル名、タイトルなど）のリストを、提供装置８毎に分類して表示部１６に表示できる。ユーザは、以下の操作を行うことで、表示データの名称のリストを表示部１６に表示させることができる。ユーザは、提供装置８を特定する情報（以下「特定情報」という。）であって、閲覧を望む表示データの提供元の提供装置８の特定情報を、検索キーとして表示装置６に入力する。表示装置６の表示部１６には、検索キーに該当する提供装置８から提供された表示データの名称のリストが表示される。例えば図２では、ＰＣ４から提供された表示データの名称（「特開〇〇−〇〇〇〇」「特開××−××××」）が表示されている。ユーザは、表示部１６に表示されたリストを視認することで、所望する表示データを容易に探し出すことができる。次いでユーザは、所望の表示データの名称をリストから選択し、表示操作を行う。選択された表示データは、表示部１６に表示される。ユーザは、所望の表示データを閲覧可能となる。
【００２６】
図３を参照し、表示装置６の電気的構成について説明する。表示装置７の電気的構成は、表示装置６と同一である。表示装置６は、表示装置６の制御を司るＣＰＵ１１を備えている。ＣＰＵ１１は、ＲＯＭ１２、ＲＡＭ１３、フラッシュメモリ１４、入力部１５、表示部１６、有線通信部１７、無線通信部１８、及びメモリカードＩ／Ｆ１９と電気的に接続している。ＲＯＭ１２には、ＣＰＵ１１の制御プログラムやＯＳ、ＢＩＯＳが記憶される。ＲＡＭ１３には、タイマやカウンタ、一時的なデータなどが記憶される。フラッシュメモリ１４には、提供装置８から受信した表示データに特定情報が対応付けられて記憶される。入力部１５は、ユーザからの入力を受け付ける押しボタンである。表示部１６は、所望の画像を表示させるディスプレイである。有線通信部１７は、USB規格に基づいた有線通信を行うための通信モジュールである。無線通信部１８は、Bluetooth規格及びWiFi規格に基づいた無線通信を行うための通信モジュールである。メモリカードＩ／Ｆ１９は、メモリカード２０に記憶された情報を読みだすことができる。
【００２７】
図４を参照し、フラッシュメモリ１４に記憶される表示データのデータ構成について説明する。特定情報として、「名称」「ページ数」「最新閲覧日時」「フォーマット」「通信方法」及び「ＩＤ」が表示データに対応付けられている。「名称」は、表示データの名称（ファイル名、タイトルなど）を示す。「名称」は、リストを表示する場合に表示部１６に表示される。「最新閲覧日時」は、表示装置６によって表示データが閲覧された日時のうち最新の日時を示す。「フォーマット」は、表示データのフォーマットを示す。表示データを表示部１６に直接表示できる場合、「第一（フォーマット）」が格納される。表示データを表示部１６に直接表示できない場合、「第二（フォーマット）」が格納される。「通信方法」は、提供装置８と通信を行う場合の通信方法（Bluetooth、WiFi、USB）を示す。「ＩＤ」は、表示データを提供した提供装置８のＩＤを示す。表示装置６は、提供装置８から表示データを取得した場合、上述した特定情報を取得して表示データに対応付け、フラッシュメモリ１４に記憶する。
【００２８】
表示装置７を除く提供装置８の電気的構成について、ＰＣ４を例に挙げて説明する。図５に示すように、ＰＣ４は、ＰＣ４の制御を司るＣＰＵ３１を備えている。ＣＰＵ３１は、ＲＯＭ３２、ＲＡＭ３３、ＨＤＤ３４、入力部３５、表示部３６、有線通信部３７、無線通信部３８、及びドライブ装置３９と電気的に接続している。ＲＯＭ３２には、ブートプログラムやＢＩＯＳが記憶される。ＲＡＭ３３には、タイマやカウンタ、一時的なデータが記憶される。ＨＤＤ３４には、制御プログラムや、表示データとして表示装置６に提供する各種データが記憶される。入力部３５は、ユーザからの入力を受け付けるキーボードやマウスである。表示部３６は、所望の画像を表示させるディスプレイである。有線通信部３７は、USB規格に基づいた有線通信を行うための通信モジュールである。無線通信部３８は、WiFi規格に基づいた無線通信を行うための通信モジュールである。ドライブ装置３９は、記憶媒体４０に記憶された情報を読みだすことができる。
【００２９】
図５を参照し、ＰＣ４を除く他の提供装置８の電気的構成について説明する。携帯電話２は、図５に示す構成に加え、カメラ、スピーカ、及びマイクを備えている。携帯電話２は、ＨＤＤ３４の代わりにフラッシュメモリを備えている。携帯電話２の無線通信部３８は、Bluetooth規格に基づいた無線通信を行うための通信モジュールである。携帯電話２は、有線通信部３７及びドライブ装置３９を備えていない。デジタルカメラ３は、図５に示す構成に加え、カメラを備えている。デジタルカメラ３は、ＨＤＤ３４の代わりにフラッシュメモリを備えている。デジタルカメラ３の無線通信部３８は、Bluetooth規格に基づいた無線通信を行うための通信モジュールである。デジタルカメラは、ドライブ装置３９を備えていない。スキャナ５は、図５に示す構成に加え、スキャナ部を備えている。スキャナ５は、ＨＤＤ３４の代わりにフラッシュメモリを備えている。スキャナ５は、無線通信部３８及びドライブ装置３９を備えていない。
【００３０】
図６を参照し、ＰＣ４のＣＰＵ３１において実行される提供処理について説明する。ＰＣ４を除く提供装置８の各ＣＰＵにおいて実行される提供処理は後述する。提供処理は、表示データを表示装置６に対して送信する指示がユーザによって入力された場合に、ＣＰＵ３１において起動され実行される。提供処理では、はじめにＨＤＤ３４に記憶されたデータのフォーマットが、必要に応じて変換される。ＨＤＤ３４に記憶されたデータのフォーマットが第二フォーマットである場合、第一フォーマットに変換される（Ｓ９１）。第一フォーマットに変換されたデータは、表示データとして表示装置６に送信される（Ｓ９３）。通信方法として、USB規格に基づいた有線通信、及び、WiFi規格に基づいた無線通信のいずれかがユーザによって選択される。
【００３１】
ＰＣ４のＩＤが抽出される（Ｓ９５）。ＰＣ４のＩＤとして、ＰＣ４のネットワークアドレス、及び、ＰＣ４を使用するユーザのログインＩＤが抽出される。なおＰＣ４のＩＤとして、既述の二つのＩＤのうちいずれか一方のみ抽出されてもよい。抽出されたＰＣ４のＩＤは、ＰＣ４を特定するための特定情報として表示装置６に送信される（Ｓ９７）。提供処理は終了する。
【００３２】
図６を参照し、携帯電話２、デジタルカメラ３、及びスキャナ５のＣＰＵ３１において実行される提供処理について説明する。上述した説明と重複する部分については、説明を省略している。ＰＣ４のＣＰＵ３１において実行される提供処理と異なる点は、フラッシュメモリに記憶されているデータは、フォーマット変換されずそのまま表示装置６に送信される点にある。従って、携帯電話２、デジタルカメラ３、及びスキャナ５のＣＰＵ３１では、Ｓ９１は実行されない。このため携帯電話２、デジタルカメラ３、及びスキャナ５からは、常に第二フォーマットの表示データが送信されることになる。
【００３３】
デジタルカメラ３及びスキャナ５のＣＰＵ３１において実行される提供処理では、ＩＤは抽出されず、ＩＤは表示装置６に送信されない。従って、デジタルカメラ３及びスキャナ５のＣＰＵ３１では、Ｓ９５及びＳ９７は実行されない。
【００３４】
携帯電話２は、Ｓ９３において、Bluetooth規格に基づいた無線通信によって表示データを送信する。デジタルカメラ３は、Ｓ９３において、USB規格に基づいた有線通信、又は、Bluetooth規格に基づいた無線通信によって、表示データを送信する。スキャナ５は、Ｓ９３において、USB規格に基づいた有線通信によって表示データを送信する。
【００３５】
図６を参照し、表示装置７のＣＰＵ１１において実行される提供処理について説明する。上述した説明と重複する部分については、説明を省略している。ＰＣ４のＣＰＵ３１において実行される提供処理と異なる点は、フラッシュメモリに記憶されているデータは、フォーマット変換されずそのまま表示装置６に送信される点にある。従って、表示装置７のＣＰＵ１１では、Ｓ９１は実行されない。なお、表示装置７のフラッシュメモリに記憶される表示データのフォーマットは、後述するように、全て第一フォーマットである。このため表示装置７からは、常に第一フォーマットの表示データが送信されることになる。また、表示装置７のＣＰＵ３１では、ＩＤは抽出されず、ＩＤは表示装置６に対して送信されない。従って、表示装置７のＣＰＵ１１では、Ｓ９５及びＳ９７は実行されない。
【００３６】
表示装置７は、Ｓ９３において、USB規格に基づいた有線通信、又は、Bluetooth規格に基づいた無線通信によって、表示データを送信する。
【００３７】
提供装置８と特定情報（フォーマット、ＩＤ、通信方法）との関係について、図７に示す。表示装置７を特定する特定情報として「フォーマット：第一」「ＩＤ：無」「通信方法：USB／Bluetooth」が挙げられる。携帯電話２を特定する特定情報として「フォーマット：第二」「ＩＤ：有」「通信方法：Bluetooth」が挙げられる。このように、提供装置８と特定情報とが対応付けられるので、ユーザは、特定情報を検索キーとして用いることで、所望の提供装置８を特定できる。
【００３８】
図８から図１０を参照し、表示装置６のＣＰＵ１１において実行される処理（受信処理、表示処置）について説明する。受信処理は、提供装置８から送信された表示データの受信が開始された場合に、ＣＰＵ１１において起動され実行される。表示処理は、表示データの名称のリストを表示させる指示がユーザによって入力された場合に、ＣＰＵ１１において起動され実行される。
【００３９】
図８を参照し、受信処理について説明する。提供装置８から送信された表示データが受信される。また、提供装置８が携帯電話２又はＰＣ４である場合、ＩＤが特定情報として送信されているので、このＩＤが受信される（Ｓ１１）。受信された表示データのフォーマットが第一フォーマットであるか第二フォーマットであるかが判断される（Ｓ１２）。判断結果は、ＲＡＭ１３に記憶される。
【００４０】
受信された表示データの送信元の提供装置８がＰＣ４又は表示装置７である場合、表示データのフォーマットは第一フォーマットとなる（Ｓ１３：ＹＥＳ）。この場合、そのまま処理はＳ１７に進む。一方、受信した表示データの送信元の提供装置８がＰＣ４及び表示装置７以外である場合、表示データのフォーマットは第二フォーマットとなる（Ｓ１３：ＮＯ）。この場合、受信された表示データのフォーマットが第一フォーマットに変換される（Ｓ１５）。このように、受信された表示データを第一フォーマットに変換しておくことで、ユーザからの表示指示に対して迅速に対応し、表示データを表示部１６に表示させることができる。処理はＳ１７に進む。Ｓ１７では、受信した表示データの送信元の提供装置８の特定情報を取得する処理（取得処理、図９参照）が実行される（Ｓ１７）。
【００４１】
図９を参照し、取得処理について説明する。Ｓ１２（図８参照）において判断されたフォーマットが、ＲＡＭ１３から読み出される（Ｓ３０）。提供装置８から表示データを受信した際の通信方法（Bluetooth、WiFi、及びUSBのうちいずれか）が特定される（Ｓ３１）。USB規格に基づく通信によって、提供装置８から表示データを受信している場合（Ｓ３３：ＹＥＳ）、提供装置８によって表示装置６が認識される場合のUSBクラスドライバの種別が特定される（Ｓ３５）。クラスドライバの種別として、例えばUSBマスストレージクラスドライバや、プリンタクラスドライバが挙げられる。処理はＳ３７に進む。一方、USB規格以外の通信によって、提供装置８から表示データを受信している場合（Ｓ３３：ＮＯ）、そのまま処理はＳ３７に進む。
【００４２】
Ｓ３７では、表示データの受信時（Ｓ１１、図８参照）に、提供装置８のＩＤが受信されているかが判断される（Ｓ３７）。受信された表示データの送信元の提供装置８が携帯電話２又はＰＣ４である場合、表示データの送信時に、ＩＤが特定情報として送信されている。ＩＤが受信されている場合（Ｓ３７：ＹＥＳ）、受信されたＩＤが抽出される（Ｓ３９）。処理はＳ４０に進む。一方、ＩＤが受信されていない場合（Ｓ３７：ＮＯ）、そのまま処理はＳ４０に進む。Ｓ４０では、上述の処理で特定された特定情報（フォーマット、通信方法、及びＩＤ）が対応付けられ、ＲＡＭ１３に記憶される（Ｓ４０）。取得処理は終了し、受信処理（図８参照）に戻る。
【００４３】
図８に示すように、取得処理（Ｓ１７）の終了後、ＲＡＭ１３に記憶された特定情報（フォーマット、通信方法、及びＩＤ）が読み出される。Ｓ１１において受信された表示データの名称、ページ数、及び最新閲覧日時が特定情報として抽出される。其々の特定情報は、Ｓ１１で受信された表示データに対応付けられる（Ｓ１９）。対応付けられた状態のデータは、フラッシュメモリ１４に記憶される（Ｓ２１）。例えば図４にて示した構成を有するデータが、フラッシュメモリ１４に記憶される。受信処理は終了する。
【００４４】
図１０を参照し、表示処理について説明する。ユーザは、所望する表示データの提供元の提供装置８を特定する特定情報を、検索キーとして入力する。ユーザによって入力された検索キーが取得される（Ｓ５１）。リスト表示用の表示データを作成するためのテンポラリ領域が初期化される（Ｓ５３）。処理が全て終了していない状態では（Ｓ５５：ＮＯ）、フラッシュメモリ１４に記憶された表示データが一つずつ順番に選択される。Ｓ５１において取得された検索キーと一致する特定情報が、選択された表示データに対応付けられている特定情報内に存在するかが判断される（Ｓ５７）。入力された検索キーと一致する特定情報が存在した場合（Ｓ５７：ＹＥＳ）、該当する特定情報が対応付けられた表示データの名称が抽出され（Ｓ５９）、テンポラリ領域に格納される（Ｓ６０）。処理はＳ５５に戻る。一方、入力された検索キーと一致する特定情報が存在しない場合（Ｓ５７：ＮＯ）、そのまま処理はＳ５５に戻る。
【００４５】
フラッシュメモリ１４に記憶された表示データが順番に選択され、全ての表示データが選択された場合（Ｓ５５：ＹＥＳ）、テンポラリ領域に格納されている表示データの名称のリストは、表示部１６に表示される（Ｓ６１）。表示処理は終了する。
【００４６】
なお上述では、表示データの名称のリストが表示部１６に表示されていたが、本発明はこれに限定されない。例えば、複数の表示データによって構成されたサムネイルが表示部１６に表示されてもよい。また、表示データ自体が、スクロールさせることによって切り替え可能な態様で表示部１６に表示されてもよい。
【００４７】
表示装置６は、表示部１６に表示されたリストの中から特定の名称がユーザによって選択された場合、選択された名称に該当する表示データを表示部１６に表示する。これによってユーザは、表示部１６を介して所望の表示データを視認できる。
【００４８】
以上説明したように、表示装置６のユーザは、表示データを提供した提供装置８の特定情報を検索キーとして用いることで、所望の提供装置８を検索することができるので、所望の表示データを特定できる。特定情報は、表示装置６と提供装置８との通信によって自動的に取得される。従ってユーザは、表示装置６において表示データが新たに受信された場合であっても、索引情報（特定情報）を表示データに対応付ける作業を手動で行う必要がない。このように表示装置６は、特定情報と表示データとを容易に対応付けることができる。
【００４９】
表示装置６は、「フォーマット」「通信方法」「ＩＤ」を特定情報として表示データに対応付ける。ユーザは、これらの特定情報を検索キーとすることで、表示データを提供した提供装置８を特定できる。特に「ＩＤ」は、表示データを送信した提供装置８から直接送信されるので、ユーザは、所望の提供装置から送信された表示データを確実に特定できる。
【００５０】
さらに、表示装置６と提供装置８とがUSB規格に基づいた通信を行っている場合、提供装置８によって認識される表示装置６のクラスドライバ（USBマスストレージクラスドライバ、又はプリンタクスラスドライバ）が、特定情報として表示データに対応付けられる。これによってユーザは、より限定的な検索キーによって提供装置８を詳細に特定し、所望の表示データを表示装置６の表示部１６に表示させることができる。
【００５１】
なお、図１の表示部１６が本発明の「表示手段」に相当する。図８のＳ１１の処理を行うＣＰＵ１１が本発明の「受信手段」に相当し、Ｓ１７の処理を行うＣＰＵ１１が本発明の「第一取得手段」に相当し、Ｓ１９、Ｓ２１の処理を行うＣＰＵ１１が本発明の「記憶制御手段」に相当する。図１０のＳ５１の処理を行うＣＰＵ１１が本発明の「第二取得手段」に相当し、Ｓ５９の処理を行うＣＰＵ１１が本発明の「抽出手段」に相当し、Ｓ６１の処理を行うＣＰＵ１１が本発明の「表示制御手段」に相当する。図６のＳ９３の処理を行うＣＰＵ３１が本発明の「送信手段」に相当する。図８のＳ１２の処理を行うＣＰＵ１１が本発明の「判断手段」に相当し、Ｓ１５の処理を行うＣＰＵ１１が本発明の「変換手段」に相当する。図９のＳ３１の処理を行うＣＰＵ１１が本発明の「第一特定手段」に相当し、Ｓ３５の処理を行うＣＰＵ１１が本発明の「第二特定手段」に相当する。
【００５２】
図８のＳ１１の処理が本発明の「受信ステップ」に相当し、Ｓ１７の処理が本発明の「第一取得ステップ」に相当し、Ｓ１９、Ｓ２１の処理が本発明の「記憶制御ステップ」に相当する。図１０のＳ５１の処理が本発明の「第二取得ステップ」に相当し、Ｓ５９の処理が本発明の「抽出ステップ」に相当し、Ｓ６１の処理が本発明の「表示制御ステップ」に相当する。
【００５３】
なお本発明は上述の実施形態に限定されず、種々の変更が可能である。提供装置８と表示装置６との間の通信方法は上述に限定されず、他の方法（例えば、IEEE1394、UWB(Ultra Wide Band)など）によって通信が行われてもよい。ユーザによって入力される検索キーは、複数入力されてもよい。また検索キーは、所定の条件を特定するものであってもよい。例えば、「ページ数が所定数未満」とする検索キーが入力されても良いし、「最新閲覧日時が所定の日時より新しい表示データ」とする検索キーが入力されてもよい。
【００５４】
上述では、図４に示すように、表示データに特定情報が対応付けられ、表示装置６のフラッシュメモリ１４に記憶されていた。本発明はこの方法に限定されない。表示データは、特定情報毎に異なるフォルダに格納されてもよい。図１１に示すように、フラッシュメモリ１４には、特定情報毎に異なるルートフォルダが準備されてもよい。例えば、フォーマットが「第一フォーマット」であり、提供装置８との通信方法が「USB」である特定情報に対応する表示データ５２は、「Root￥第一￥USB」のフォルダ５１に格納されてもよい。フォーマットが「第一フォーマット」であり、提供装置８との通信方法が「Bluetooth」である特定情報に対応する表示データ５４は、「Root￥第一￥Bluetooth」のフォルダ５３に格納されてもよい。このような方法に基づいて表示データをフラッシュメモリ１４に記憶することで、例えば、「ＵＳＢ」が検索キーとされた場合、「Root￥第一￥USB」のフォルダ５１内にある表示５２と、「Root￥第二￥USB」のフォルダ５５内にある表示データ５６とを容易に検索できる。また例えば、「第一フォーマット」が検索キーとされた場合、「Root￥第一￥USB」のフォルダ５１内にある表示５２と、「Root￥第一￥Bluetooth」のフォルダ５３内にある表示５４を検索できる。更に例えば、「第一フォーマット」と「ＵＳＢ」とが検索キーとされた場合、「Root￥第一￥USB」のフォルダ５１内にある表示５２を検索できる。このように表示装置６は、検索キーに該当する表示データをより迅速に探し出すことができる。ユーザは、複数の検索キーを用いて表示データを特定できるので、リスト表示される表示データの数を絞り込むことができる。ユーザは、より効率的に所望の表示データを検索できる。
【００５５】
端末装置６は、特定情報として「USB」が取得された場合、自身がホストとして提供装置８と接続しているか、又はクライアントとして提供装置８と接続しているかを判断してもよい。判断された情報は、「USB」を更に詳細に分類する特定情報とされてもよい。
【００５６】
上述では、ユーザは特定情報を検索キーとして入力していたが、本発明はこれに限定されない。ユーザは、提供装置８の種別（「携帯電話」「デジタルカメラ」「ＰＣ」「スキャナ」「表示装置」のいずれか）を検索キーとして表示装置６に入力してもよい。表示装置６は、入力された種別に該当する特定情報（フォーマット、及び通信方法）を選択し、選択した特定情報に該当する表示データを抽出してもよい。以下、詳細を説明する。
【００５７】
図１２を参照し、提供装置８の種別と特定情報との対応表１４１について示す。対応表１４１は、表示装置６のフラッシュメモリ１４に記憶される。表示装置６は、対応表１４１を参照することで、ユーザによって入力された種別に基づいて特定情報（フォーマット、及び通信方法）を一義的に選択する。例えば、入力された種別が「表示装置」であった場合、特定情報として「第一フォーマット」「USB（ホスト）」が選択される。
【００５８】
図１３を参照し、表示装置６のＣＰＵ１１において実行される表示処理の変形例について説明する。既述の表示処理と同一処理部分については、同一符号を付し、説明を省略し又は簡略化する。表示処理は、表示データの名称のリストを表示させる指示がユーザによって入力された場合に、ＣＰＵ１１において起動され実行される。
【００５９】
ユーザは、所望する表示データの提供元の提供装置８の種別を、検索キーとして入力する。ユーザによって入力された種別が取得される（Ｓ７１）。対応表１４１が参照され、入力された種別に対応する特定情報（フォーマット、及び通信方法）が選択される（Ｓ７３）。フラッシュメモリ１４に記憶された表示データのうち一が選択される。Ｓ７３において選択された特定情報と一致する特定情報が、選択された表示データに対応付けられている特定情報内に存在するかが判断される（Ｓ７５）。選択された特定情報と一致する特定情報が存在した場合（Ｓ７５：ＹＥＳ）、該当する特定情報が対応付けられた表示データの名称が抽出され（Ｓ５９）、テンポラリ領域に格納される（Ｓ６０）。処理はＳ５５に戻る。一方、選択された特定情報と一致する特定情報が存在しない場合（Ｓ７５：ＮＯ）、そのまま処理はＳ５５に戻る。フラッシュメモリ１４に記憶された表示データが順番に選択され、全ての表示データが選択された場合（Ｓ５５：ＹＥＳ）、テンポラリ領域に格納されている表示データの名称は、表示部１６に表示される（Ｓ６１）。表示処理は終了する。
【００６０】
以上説明したように、ユーザは提供装置８の種別を直接的に特定し、所望の提供装置８を検索出来る。このためユーザは、所望する表示データをより正確に特定し、表示装置６の表示部１６に表示させることができる。
【００６１】
なお、図１３のＳ７１の処理を行うＣＰＵ１１が本発明の「第三取得手段」に相当し、Ｓ７３の処理を行うＣＰＵ１１が本発明の「選択手段」に相当する。
【００６２】
なお上述の変形例では、対応表１４１が参照されることで、提供装置８の種別から特定情報（フォーマット、通信方法）が一義的に選択されていた。本発明はこの方法に限定されない。他の特定情報（名称、ＩＤなど）が提供装置８の種別から一義的に選択されてもよい。
【００６３】
上述では、提供装置８として図１に記載の装置を例示したが、表示データの提供元はこれらの装置に限定されない。表示データの提供元は、各種情報を出力可能な周知のメディアであってもよい。表示装置６は、ネットワークを介して各メディアから提供される表示データを取得してもよい。
【符号の説明】
【００６４】
１    表示システム
２    携帯電話
３    デジタルカメラ
４    ＰＣ
５    スキャナ
６，７  表示装置
８    提供装置
１１  ＣＰＵ
１４  フラッシュメモリ
１６  表示部
【図１】
2011248716.tif 000003
【図２】
2011248716.tif 000004
【図３】
2011248716.tif 000005
【図４】
2011248716.tif 000006
【図５】
2011248716.tif 000007
【図６】
2011248716.tif 000008
【図７】
2011248716.tif 000009
【図８】
2011248716.tif 000010
【図９】
2011248716.tif 000011
【図１０】
2011248716.tif 000012
【図１１】
2011248716.tif 000013
【図１２】
2011248716.tif 000014
【図１３】
2011248716.tif 000015